(57)【要約】【課題】本発明の課題は、ゴミ拾い作業において可燃ゴミや不燃ゴミなど、その処理を異にするゴミを一人の人の作業で使い勝手が良く効率的に分別して回収ができるゴミ袋固定具を提供することにある。【解決手段】本発明のゴミ収集用のゴミ袋固定具は、枠体と袋保持部材は嵌合自在の２つの矩形状のもので形成し、前記枠体と袋保持部材の嵌合時にゴミ袋の口部を開いた状態で両部材間に挟持する形態とし、更に固定保持具の両側下端には枠体の一辺を嵌合する溝部が設けられ、該溝部に枠体が嵌合された状態で上方より両枠体を挟持する固定部材によって枠体と袋保持部材と固定保持具が一体構造として組み立てられる構造とする。【選択図】      図１
2004182385.tif 000002
【特許請求の範囲】
【請求項１】
枠体と、該枠体にゴミ袋の口部を開いた状態で保持する袋保持部材と、把持部を備え複数の前記枠体を一体的に結合する固定保持具とからなり、ゴミ収集の際に持ち易く袋の口が開いた状態で分別ゴミ収集に使い勝手がよいことを特徴とするゴミ収集用のゴミ袋固定具。
【請求項２】
枠体と袋保持部材は嵌合自在の２つの矩形状のもので形成し、前記枠体と袋保持部材の嵌合時にゴミ袋の口部を開いた状態で両部材間に挟持する形態である請求項１に記載のゴミ収集用のゴミ袋固定具。
【請求項３】
固定保持具の両側下端には枠体の一辺を嵌合する溝部が設けられ、該溝部に枠体と袋保持部材が嵌合された状態で上方より両枠体を挟持する固定部材によって枠体と袋保持部材と固定保持具が一体構造として組み立てられることを特徴とする請求項２に記載のゴミ収集用のゴミ袋固定具。
【請求項４】
袋保持部材が設けられた一対の枠体の一辺が固定保持具の両側下端で蝶番を介して結合され、不使用時には両側の枠体を固定保持具を挟んだ状態で重ねた形態にできることを特徴とする請求項１に記載のゴミ収集用のゴミ袋固定具。
【発明の詳細な説明】
【０００１】
【発明の属する技術分野】
本発明は、ゴミ袋がゴミ収集に直接使用し易いように工夫されたゴミ袋固定具に関する。
【０００２】
【従来の技術】
地方自治体等が主催するクリーンデイなどでは、市民ボランティアが街中の道路や海岸、観光名所、公園等のゴミを拾い美化に協力している。この風景は日本全国何処ででも見られるが、その際、ボランティア達は一般にゴミ袋を銘々で持ち拾ったゴミをその袋に入れていくのであるが、風に吹かれたり、持ち歩いている間に口が閉まってしまい作業効率が悪いものである。そのため、取手付きの枠体にゴミ袋の口を開いて固定し作業効率を図った道具が案出されている。例えば特許文献１のものは図４に示したように四角い筒体にゴミ袋の口を開けて固定し、四角い筒体の一面を両側から切り込みを入れると共に内側に折り曲げて取手とし、その対面を塵取り用の台に両側面を側台としたものが提示されている。これによって、チリ取りを用いずにこれ自体で塵取りとして使用できる。また、遠方へ出かけていって行なう掃除の際にはこれを折り畳んでもっていくことができるので持っていくのに軽くてかさばらない。この四角い枠体を紙で作れば可燃ゴミとしてゴミ袋と一緒にそのまま処分できるなどの効果をもたらすものである。
また、特許文献２のものは図５に示したように、一方に傾斜面の掃入口を有するとともに開口穴が中央のちり受け主面部分に設けられたちり取りの外枠形状を備える外枠体と、前記外枠体の開口穴を通して開口縁部回りが外枠体の内側から外側に被せられたゴミ袋と、前記ゴミ袋の開口縁部回りを前記外枠体に固定する係止手段とを備えたちり取りを提示している。また、前記ゴミ袋を前記外枠体に固定する係止手段として、前記外枠体の外周面に設けられた係止凸部または係止凹部に沿って嵌着される弾性体にてゴミ袋の開口縁部回りを前記外枠体の外周面に押止する構成であるもの、さらに、前記ゴミ袋を前記外枠体に固定する係止手段が、前記外枠体と脱着自在に下方から嵌着可能な環状体が外枠体に回動自在に付設され、ゴミ袋の開口縁部回りが前記外枠体と前記環状体との間に挟着される構成を開示している。
【０００３】
これら特許文献１，２に提示のものは、掃除の際に掃き集めたゴミを塵取りで回収しそれをゴミ箱に一旦溜め、又はゴミ袋に直接入れて最終的にはゴミ袋を閉めてゴミ収集場所に出すという作業を簡略化し、直接ゴミ袋に回収することが出来るようにした点で作業効率を図れるのであるが、これをクリーンデイのゴミ収集作業に用いようとすると、把持部が有り、袋の口が開いた状態で安定している点で持ち歩くのにもゴミを入れるのにも使い勝手が良いのであるが、回収するゴミの種類、すなわち可燃ゴミ、不燃ゴミに分別して回収しようとするとき、可燃ゴミを集める人、不燃ゴミを集める人に分けて作業を行なわなければならない。片手は空けておかなければならないゴミ回収作業であるから、一人の人が２つの器具を持って作業をすることは把持部の構造からして難しい。
【０００４】
【特許文献１】
特開２００２−１９９０３号公報
【特許文献２】
特開２００１−３５３１２０号公報
【０００５】
【発明が解決しようとする課題】
本発明の課題は、ゴミ拾い作業において可燃ゴミや不燃ゴミなど、その処理を異にするゴミを一人の人の作業で使い勝手が良く効率的に分別して回収ができるゴミ袋固定具を提供することにある。
【０００６】
【課題を解決するための手段】
本発明のゴミ収集用のゴミ袋固定具は、ゴミ収集の際に持ち易く袋の口が開いた状態で分別ゴミ収集に使い勝手がよいように、枠体と、該枠体にゴミ袋の口部を開いた状態で保持する袋保持部材と、把持部を備え複数の前記枠体を一体的に結合する固定保持具とからなる。
汎用のゴミ収集用のゴミ袋固定具としては、枠体と袋保持部材は嵌合自在の２つの矩形状のもので形成し、前記枠体と袋保持部材の嵌合時にゴミ袋の口部を開いた状態で両部材間に挟持する形態とし、更に固定保持具の両側下端には枠体の一辺を嵌合する溝部が設けられ、該溝部に枠体が嵌合された状態で上方より両枠体を挟持する固定部材によって枠体と袋保持部材と固定保持具が一体構造として組み立てられる構造とする。
【０００７】
【発明の実施の形態】
本発明はクリーンデイの作業の際に用いて好適な、ゴミ袋が直接取りつけられて、ゴミの分別回収が出来、持ち運びにもゴミ回収にも作業がし易い器具を提供しようということに出発したもので、そのためには基本構成として、袋を開いた状態で保持するための枠体、枠体に安定して袋を固定すると共に取り外し自在の袋保持部材、分別に対応した数の枠体を一体的に結合する部材そして一体的に結合された枠体を片手で持つことが出来る把持部の構成が必要であることに想到したものである。
また、クリーンデイの作業においては、不燃物ゴミとしては缶やペットボトルなどの定形固形物が多いが中には弁当等の容器やトレーといった不定形のものもある。可燃ゴミとしては新聞雑誌チラシなどの紙類から落ち葉など不定形のゴミが多い。本発明では、このような事情を勘案しつつそれぞれの状況に対応したいくつかの実施形態を提示する。
【０００８】
【実施例１】
まず、図１、図２に示すものは二種分別するゴミ収集用ゴミ袋固定具で、図１に使用形態を示し、図２には分解斜視図の形で示している。矩形の枠体１と、該枠体１の外側に嵌合する外枠体２がそれぞれ２組（図２では１組だけを図示している。）と、把持部４を上部に備え下部に嵌合状態の前記枠体１と外枠体２の一辺を両側に挟持する溝５を備えた固定保持具３と、前記溝部５に前記枠体１と外枠体２の一辺を挟持した状態で両側の該枠体１の内側間を一体的の挟持する断面Ｕ字状の固定部材６とから構成される。図２中円内は固定保持具３の側面図であり、固定保持具３に設けられた溝部５の断面構造が示されている。使用に際しては矩形の枠体１内にゴミ袋の先端部を通し、口部を開いて枠体を包むように折り返す。その状態で外枠体２を枠体１に嵌合させるとゴミ袋の口部は枠体１と外枠体２間に挟持され、口部が開いた状態で保持される。この実施例では枠体１には下部に段部１ａが設けられており外枠２を嵌め込んだとき底抜けしてしまわないようになっている。ただしその段部１ａは外枠２が嵌合されたとき突出しないだけの幅としてある。また、外枠２には嵌め外し作業が容易となるように両側辺の上部につまみ片２ａを設けてある。２つの枠体１と外枠体２にそれぞれゴミ袋を取り付け、固定保持具３の溝部５に嵌合状態の前記枠体１と外枠体２の一辺を嵌め込み、挟持した状態で断面Ｕ字状の固定部材６を把持部４下の穴部３ａに両側の枠体１の内側間を一体的の挟持するように嵌め込んで全体を一体的に固定する。この状態で２つの袋が開口状態で安定して保持され、把持部４を片手でもち、片手でゴミを拾ってゴミの種類毎に別の袋に入れるようにしてゴミ収集作業を行なうことができる。また、箒などでかき集めたゴミは枠体１が矩形に形成されてるので、枠体１と外枠体２は矩形形状であるので、固定保持具に固定されてる辺の対辺を地に着けて塵取り形態で使用することが出来る。取り入れたゴミは把持部を握って持上げると自然と袋の底に収まり、風などで吹き散らされることがない。
【０００９】
この実施例は部品が矩形の枠体１と、外枠体２がそれぞれ２組と、固定保持具３と、断面Ｕ字状の固定部材６とからなる都合６点の部材で構成されるものであるが、不使用時には２組の枠体１と外枠体２を嵌合させて重ね合わせ、その枠内に固定保持具３と固定部材６とを配置すればコンパクトな形態で保管したり、携帯したりすることができる。この実施例は単純に二種分別するゴミ収集用ゴミ袋固定具として利便性の良い汎用タイプである。
また、塵取り機能を効率良くさせる変形例としては、外枠体２の吐きこみ口となる辺を他辺より長く形成するとよい。
【００１０】
【実施例２】
次ぎの実施例は、図３に示すように枠体１と固定保持具３を一体構造としたものである。蝶番８を用いて折り畳み自在の構成とし、不使用時には両側の枠体１を固定保持具３を挟んだ状態で重ねた形態にできるため、コンパクトな構造であり保管・携帯に便が良く組立と分解作業の面倒がない。ただ一体構成であるため先の例の外枠体を使わずに枠体１の外側三辺に袋挟持具７を複数個配置し、この袋挟持具７によってゴミ袋を保持するようにした。すなわち、この例も枠体１内にゴミ袋の先端部を通し、口部を開いて枠体を包むように折り返す点は同様であるが、この例では折り返された袋の端部をスプリングで付勢された袋挟持具７で挟み込んで保持させる。この袋挟持具７は蝶番８がある辺以外の三辺に取り付ける。蝶番８がある辺は袋を保持していないが三方で保持されることでごみ袋は口を開いた状態で安定して保持される。この例では外枠体の他固定部材も不必要である。
この例では袋保持部材として袋挟持具を用いたが、内枠体を用い該内枠体を枠体内に嵌合させて両部材間にゴミ袋の口部を挟持させる形態とし、枠体と前記内枠体とを両側辺で固定部材で固定する変形例もある。
【００１１】
【実施例３】
次ぎに示す例はクリーンデイ等の街頭清掃作業に便利な実施例で、街中の三大ゴミである、紙くず等の一般可燃ゴミとペットボトルのような樹脂容器とジュースやビールといった飲料用の空き缶三種類の分別収集に適したものである。図４に示すように先の実施例１と異なる点は一方側の枠体１が仕切り１ｂによって二分されている点である。ペットボトルや空き缶はその大きさが決まっており、左程大きな口を開けておく必要はないという点に鑑み半分の面積の枠体内に２つの袋の口部を通して開き、その上から外枠体２を嵌合させる。反対側の枠体１は図２に示されているものと同じである。こちらの方は固定保持具に固定されてる辺の対辺を地に着けて塵取り形態で使用することが出来る。枠体１と外枠体２間にゴミ袋を挟持させ嵌合させたものを、固定保持具３の両側の溝部５に嵌め込んだ状態で一体的に固定させる固定部材６’は、切り欠け部６ａが設けられている点で実施例１のものと異なる。この切り欠け部６ａがある側は仕切り１ｂのある枠体１の固定用となる。
【００１２】
【発明の効果】
本発明のゴミ収集用のゴミ袋固定具は、枠体と、該枠体にゴミ袋の口部を開いた状態で保持する袋保持部材と、把持部を備え複数の前記枠体を一体的に結合する固定保持具とからなるもので、ゴミ収集の際に持ち易い上、袋の口が開いた状態で使用できるので分別ゴミ収集に際し、作業者の負担を軽くしすこぶる使い勝手がよい。また、分別しなければならないゴミを担当に分けなくても一人で容易に分別収集できる。
枠体と袋保持部材は嵌合自在の２つの矩形状のもので形成し、前記枠体と袋保持部材の嵌合時にゴミ袋の口部を開いた状態で両部材間に挟持する形態である本発明のゴミ収集用のゴミ袋固定具は、枠体１と外枠体２は矩形形状であるので、使用時においては箒などでかき集めたゴミは固定保持具に固定されてる辺の対辺を地に着けて塵取り形態で使用することが出来る。取り入れたゴミは把持部を握って持上げると自然と袋の底に収まり、風などで吹き散らされることがない。また、不使用時には分解して２組の枠体と外枠体を嵌合させて重ね合わせ、その枠内に固定保持具と固定部材とを配置すればコンパクトな形態で保管したり、携帯したりすることができる。
【００１３】
固定保持具の両側下端には枠体の一辺を嵌合する溝部が設けられた本発明のゴミ収集用のゴミ袋固定具は、該溝部に枠体と袋保持部材が嵌合された状態で上方より両枠体を挟持する固定部材を使用することによって枠体と袋保持部材と固定保持具が簡単にかつ安定して一体構造として組み立てられる。
更に、袋保持部材が設けられた一対の枠体の一辺が固定保持具の両側下端で蝶番を介して結合された本発明のゴミ収集用のゴミ袋固定具は、不使用時には蝶番の機能により両側の枠体を固定保持具を挟んだ状態で重ねた形態にできるため、コンパクトな構造であり保管・携帯に便が良く使用に際しての組立と使用後の分解作業の面倒がない。
【図面の簡単な説明】
【図１】本発明のゴミ収集用のゴミ袋固定具の使用形態を示す斜視図である。
【図２】本発明の１実施例に用いられる部材の分解斜視図で、円内は固体保持具の側面図である。
【図３】本発明の他の実施例を示す斜視図である。
【図４】本発明の更に異なる実施例における枠体と外枠体及び固定部材を示す斜視図である。
【図５】従来の「チリ取不要ゴミ袋」を説明する図である。
【図６】従来のゴミ袋を用いた「ちり取り」を説明する図である。
【符号の説明】
１  枠体                    ３ａ  穴部
１ａ  段部                    ４  把持部
１ｂ  仕切り                  ５  溝部
２  外枠体                  ６，６’  固定部材
２ａ  つまみ片                ７  袋挟持具
３  固定保持具              ８  蝶番
【図１】
2004182385.tif 000003
【図２】
2004182385.tif 000004
【図３】
2004182385.tif 000005
【図４】
2004182385.tif 000006
【図５】
2004182385.tif 000007
【図６】
2004182385.tif 000008